(57)【要約】【課題】保管または輸送作業が容易であり、かつ狭い保管スペースであっても効率良く収納することができる内視鏡装置を提供する。【解決手段】柔軟であって細長な挿入部を有する内視鏡と該内視鏡の動作制御を行う装置本体とを収納する収納ケース８を備えた内視鏡装置１であって、収納ケース８の外装８１ｋ，８２ｊに、収納ケース８同士を接触させた際、互いの収納ケース８を位置規制する位置規制手段８２ｏ，８１ｔが備えられていることを特徴とする【選択図】図２
2006030902.tif 000002
【特許請求の範囲】
【請求項１】
柔軟であって細長な挿入部を有する内視鏡と該内視鏡の動作制御を行う装置本体とを収納する収納ケースを備えた内視鏡装置であって、
上記収納ケースの外装に、該収納ケース同士を接触させた際、互いの上記収納ケースを位置規制する位置規制手段が備えられていることを特徴とする内視鏡装置。
【請求項２】
上記位置規制手段は、上記収納ケースに一体的に形成されていることを特徴とする請求項１に記載の内視鏡装置。
【請求項３】
上記位置規制手段は、上記収納ケースに着脱自在であることを特徴とする請求項１に記載の内視鏡装置。
【請求項４】
上記位置規制手段は、上記収納ケースの隅部に着脱自在であることを特徴とする請求項１または３に記載の内視鏡装置。
【請求項５】
上記位置規制手段に、凹部または凸部が形成されていることを特徴とする請求項４に記載の内視鏡装置。
【請求項６】
上記位置規制手段は、上記収納ケースの対向する一対の上記ケースの外装の内、どちらか一方の上記外装に備えられた凸部、及び／または該凸部が備えられた上記外装に対向する上記外装に備えられた凹部であることを特徴とする請求項１〜３のいずれかに記載の内視鏡装置。
【請求項７】
上記収納ケース同士を接触させた際、上記凸部は、上記凹部に嵌合されることを特徴とする請求項６に記載の内視鏡装置。
【請求項８】
上記凸部は、上記外装に一端が回動自在に係止された、上記外装に対して起立または上記外装に収納自在な可倒部材であることを特徴とする請求項６または７に記載の内視鏡装置。
【請求項９】
上記凸部に、上記収納ケース持ち上げ用の貫通孔が形成されていることを特徴とする請求項６〜８のいずれかに記載の内視鏡装置。
【発明の詳細な説明】
【技術分野】
【０００１】
本発明は、柔軟であって細長な挿入部を有する内視鏡と、該内視鏡の動作制御を行う装置本体とを収納する収納ケースを備えた内視鏡装置に関する。
【背景技術】
【０００２】
周知のように、内視鏡は、医療分野及び工業用分野において広く利用されている。医療分野において用いられる内視鏡は、細長い挿入部を体腔内に挿入することによって、体腔内の臓器を観察したり、必要に応じて処置具の挿通チャンネル内に挿入した処置具を用いて各種処置をしたりすることができる。
【０００３】
また、工業用分野において用いられる内視鏡は、細長い挿入部をジェットエンジン内や、発電所の配管等に挿入することによって、被検部位の傷及び腐蝕等の観察や各種処置等を行うことができる。
【０００４】
よって、工業用内視鏡の挿入部は、長い配管の内部等が十分に観察できるよう、医療用のものと比べ非常に長く形成されている。工業用内視鏡の細長の挿入部は、内視鏡検査を行わない場合は、内視鏡装置の箱体に配設された、例えば回動自在なドラム部の外周に巻き付けられ、出来るだけコンパクトに箱体内に収納、保管される。
【０００５】
内視鏡装置の箱体内に、上述したドラム部の他、電源部、挿入部に照明光を供給する光源部、挿入部先端の撮像素子に対して信号処理を行うカメラコントロールユニット、挿入部の湾曲部を電動湾曲させる駆動機構を備えた電動湾曲装置、該電動湾曲装置を駆動制御して湾曲部の湾曲状態を制御する電動湾曲制御回路部等、内視鏡を使用する際に必要な装置一式が設けられている。
【０００６】
このように、内視鏡装置の箱体内に、内視鏡を使用する際に必要な装置一式が設けられている内視鏡装置は、例えば特許文献１に開示されている。
【特許文献１】特開２００１−３３０７８３号公報
【発明の開示】
【発明が解決しようとする課題】
【０００７】
ところで、内視鏡を使用する際に必要な装置一式が設けられた内視鏡装置の箱体は、様々な場所に運び込まれて使用されるため、内視鏡装置使用前後の準備または片付けが簡素化できるよう、または運搬性が良くなるよう構成されている。
【０００８】
また、箱体は、一般に、箱体の外装形状を全体的に曲面形状にする等により輸送等の際の衝撃に耐えうる性能を備えており、内視鏡装置を輸送する際、梱包材による梱包作業を省略できるようになっている。
【０００９】
しかしながら、内視鏡装置の箱体の外装が曲面形状を有していると、内視鏡装置を複数台まとめて輸送または保管する際、箱体を積み重ねて輸送または保管を行うことが困難である。
【００１０】
そのため、複数の内視鏡装置をまとめて輸送するあるいは保管する場合は、平積みにするか、または専用の棚を用いて収納する必要があるが、内視鏡装置は、近年、高機能、多機能化に伴い、重量が２０ｋｇを超えるものがあるため、高所の棚を使用する保管の際には、棚への持ち上げ作業に多大な労力を要してしまうという問題がある。また、平積みにて内視鏡装置を保管する場合には、広い保管スペースを確保する必要がある。
【００１１】
本発明は、上記問題点に鑑みてなされたものであり、保管または輸送作業が容易であり、かつ狭い保管スペースであっても効率良く収納することができる内視鏡装置を提供することを目的とする。
【課題を解決するための手段】
【００１２】
上記目的を達成するために本発明による内視鏡装置は、柔軟であって細長な挿入部を有する内視鏡と該内視鏡の動作制御を行う装置本体とを収納する収納ケースを備えた内視鏡装置であって、上記収納ケースの外装に、該収納ケース同士を接触させた際、互いの上記収納ケースを位置規制する位置規制手段が備えられていることを特徴とする。
【発明の効果】
【００１３】
本発明の内視鏡装置によれば、保管または輸送作業が容易であり、かつ狭い保管スペースであっても効率良く収納することができる。
【発明を実施するための最良の形態】
【００１４】
以下、図面を参照して本発明の実施の形態を説明する。  
（第１実施の形態）
図１は、本発明の第１実施の形態を示す内視鏡装置の一部を破いて示した斜視図、図２は、図１の内視鏡装置の箱体に蓋体を閉じた状態を示す斜視図、図３は、図２の内視鏡装置を前方左斜め下方から見た斜視図である。
【００１５】
図１に示すように、内視鏡装置１は、柔軟であって細長の挿入部２１を有する工業用の内視鏡（以下内視鏡と称す）２と、収納ケース８とにより、主要部が構成されている。収納ケース８は、箱体８１と、該箱体８１の上部に、例えば図示しない蝶番を介して開閉自在に接続された蓋体８２とにより構成され、未使用の際に内視鏡２等が収納された状態で保管されている。尚、内視鏡２は、医療用内視鏡であってもよい。
【００１６】
図２，図３に示すように、箱体８１の上部が蓋体８２で閉じられた後は、箱体８１と蓋体８２とは、ラッチ９により施錠される。
【００１７】
収納ケース８の箱体８１の任意の側面に、ドラム巻取り蓋１４０が配設されている。該ドラム巻取り蓋１４０に、箱体８１の内部に配設された後述するドラム部３の外周面３ａに内視鏡２の挿入部２１を巻き取るためのドラムハンドル１４１が取り付けられている。また、箱体８１の上面のフロントパネル８１Ｆに、内視鏡２によって撮像された被検部位の画像を表示するモニタ７が配設されている。
【００１８】
収納ケース８の箱体８１の内部に、収納した内視鏡２及び後述する装置本体９８に外部から加わる衝撃力を吸収する図示しない緩衝材等が備えられている。また、収納ケース８の蓋体８２の内部にも、上記緩衝材等が備えられている。
【００１９】
箱体８１の内部に、内視鏡２を収納する際、内視鏡２の挿入部２１を外周面３ａに巻き取る、または内視鏡２を使用する際、挿入部２１を外周面３ａから繰り出すドラム部３、内視鏡２の動作制御を行う装置本体９８、電源ユニット４０等が収納されている。
【００２０】
電源ユニット４０には、電源プラグ１５を介して外部から電力が供給されるようになっている。尚、電源ユニット４０への電力の供給は、内蔵したバッテリから行っても良い。
【００２１】
ドラム部３は、例えばアルミで構成されており、外壁部である上面板３ｊ，下面板３ｋ及び外周面３ａを有する管状部材により構成されたフランジ形状を有している。ドラム部３は、箱体８１の内部に配設された装置本体９８により、回動自在に軸支されている。
【００２２】
ドラム部３の内部３ｉに、光源部７７、挿入部２１の湾曲部を電動湾曲させる駆動機構を備えた電動湾曲装置、該電動湾曲装置を駆動制御して湾曲部の湾曲状態を制御する電動湾曲制御回路部、内視鏡２により撮像された被検部位の画像を記録する記録ユニット等が配設されている。
【００２３】
尚、光源部７７、挿入部２１の湾曲部を電動湾曲させる駆動機構を備えた電動湾曲装置、該電動湾曲装置を駆動制御して湾曲部の湾曲状態を制御する電動湾曲制御回路部等は、ドラム部３の内部３ｉに限らず、箱体８１の内部に配設されていても良い。
【００２４】
図３に示すように、収納ケース８の箱体８１の長手方向の一端側の下部の該長手方向に直交する方向の両端部に、床等に戴置した際、収納ケース８の安定性を保つ位置規制手段を構成する凸部である突起８１ｔが、箱体８１の外装である下面８１ｋと一体に２つ形成されている。尚、突起８１ｔは、箱体８１の下面８１ｋと別体に形成された、箱体８１の下部に装着するものであってもよい。
【００２５】
また、収納ケース８の箱体８１の長手方向の他端側の下部の該長手方向に直交する方向の両端部に、収納ケース８を移動させる際の利便性を高める位置規制手段あるいは凸部である車輪９９が２つ配設されている。
【００２６】
図２に示すように、収納ケース８の蓋体８２の外装である上面８２ｊの略中央に、長手方向に沿って、一端側のみ開口するよう長溝８２ｈが穿設されている。該長溝８２ｈに、収納ケース８を移動させる際に用いられる移動用ハンドル１３が収納されている。尚、収納された移動用ハンドル１３の上面は、蓋体８２の上面８２ｊと同じ高さかそれ以下となっている。
【００２７】
移動用ハンドル１３の一端は、一端側において開口された長溝８２ｈの側面に、１８０°程度回動自在となるように、例えば波ワッシャと段付きビスにより固定されている。このことから、移動用ハンドル１３は、一端を起点として起立または、長溝８２ｈ内に収納自在である。
【００２８】
よって、箱体８１と蓋体８２とがラッチ９により施錠された収納ケース８を移動させる際は、移動用ハンドル１３の一端を起点として移動用ハンドル１３の他端を起立させることにより、移動用ハンドル１３の他端が把持され、収納ケース８の他端側が持ち上げられることにより、車輪９９を用いて収納ケース８を移動させることができる。
【００２９】
蓋体８２に穿設された長溝８２ｈ内であって、該長溝８２ｈに収納された移動用ハンドル１３以外の位置に、収納ケース８を持ち運ぶための持ち上げ用ハンドル１２が収納されている。尚、収納された持ち上げ用ハンドル１２の上面は、蓋体８２の上面８２ｊと同じ高さかそれ以下となっている。
【００３０】
持ち上げ用ハンドル１２の一端は、長溝８２ｈの底面に、例えば波ワッシャ及び段付きビスにより９０°程度回動自在に固定されている。このことから、持ち上げ用ハンドル１２は、一端を起点として起立または、長溝８２ｈ内に収納自在である。
【００３１】
よって、収納ケース８を持ち上げる際は、持ち上げ用ハンドル１２の一端を起点として持ち上げ用ハンドル１２の他端を起立させることにより、作業者は、持ち上げ用ハンドル１２の他端を把持し、収納ケース８を持ち上げることができる。
【００３２】
収納ケース８の蓋体８２の上面８２ｊであって、長溝８２ｈ以外の位置に、位置規制手段である凹部８２ｏが４つ形成されている。詳しくは、蓋体８２の上面８２ｊの長手方向の他端側の該長手方向に直交する方向の両端部であって、箱体８１の下部に配設された２つの車輪９９に対向する位置に、２つの凹部８２ｏａが、蓋体８２と一体的に形成されている。
【００３３】
２つの凹部８２ｏａは、例えば半円状を有して形成されており、収納ケース８の上面に、該収納ケース８と同一形状を有する収納ケース８が戴置された際、戴置された収納ケース８の２つの車輪９９が戴置される。
【００３４】
蓋体８２の上面８２ｊの長手方向の一端側の該長手方向に直交する方向の両端部であって、箱体８１の下面８１ｋに配設された２つの突起８１ｔに対向する位置に、２つの凹部８２ｏｂが、蓋体８２と一体的に形成されている。
【００３５】
２つの凹部８２ｏｂは、例えば２つの突起８１ｔが嵌合する形状を有しており、収納ケース８の上面に、該収納ケース８と同一形状を有する収納ケース８が戴置された際、戴置された収納ケース８の下部に配設された２つの突起８１ｔが戴置される。
【００３６】
以下、このように構成された本実施形態の内視鏡装置１の作用を説明する。  
例えば２つの内視鏡装置１を輸送または保管する場合に、先ず、２つの内視鏡装置１の箱体８１内に内視鏡２をそれぞれ収納し、その後、箱体８１と蓋体８２とをラッチ９によりそれぞれ施錠する。次いで、一方の内視鏡装置１の収納ケース８の蓋体８２の上面８２ｊに配設された移動用ハンドル１３及び持ち上げ用ハンドル１２を、長溝８２ｈに倒して蓋体８２の上面８２ｊに形成された長溝８２ｈに収納する。
【００３７】
次に、移動用ハンドル１３及び持ち上げ用ハンドル１２が長溝８２ｈに収納された一方の内視鏡装置１の収納ケース８の上面に、他方の内視鏡装置１の収納ケース８を戴置する。この際、他方の収納ケース８の２つの車輪９９は、一方の収納ケース８の２つ凹部８２ｏａにそれぞれ戴置、係止され、また他方の収納ケース８の２つの突起８１ｔは、一方の収納ケース８の２つの凹部８２ｏａにそれぞれ戴置、嵌合される。
【００３８】
尚、この際、一方の収納ケース８の蓋体８２の上面８２ｊと他方の収納ケース８の箱体８１の下面８１ｋの間に、間隙が生じるようになっている。よって、他方の収納ケース８の箱体８１の下面８１ｋに細かなゴミが付着していたとしても、他方の収納ケース８を一方の収納ケース８に戴置することができる。
【００３９】
このように、本発明の第１実施の形態を示す内視鏡装置１においては、収納ケース８の箱体８１の下部に、２つの車輪９９を配設し、また２つの突起８１ｔを形成した。また、収納ケース８の蓋体８２の上面８２ｊに、２つの車輪９９及び２つの突起８１ｔが戴置される４つの凹部８２ｏを形成した。
【００４０】
よって、内視鏡装置１の箱体８１と蓋体８２とがラッチ９により施錠された収納ケース８に、該収納ケース８と同一形状を有する箱体８１と蓋体８２とがラッチ９により施錠された収納ケース８を戴置した際、戴置する収納ケース８の箱体８１の２つの車輪９９は、戴置される収納ケース８の蓋体８２の２つの半円状の凹部８２ｏａにそれぞれ戴置、係止され、戴置する収納ケース８の箱体８１の２つの凸部８１ｔは、戴置される収納ケース８の蓋体８２の２つの凹部８２ｏｂにそれぞれ戴置、嵌合される。
【００４１】
この際、位置規制手段である２つの車輪９９、２つの突起８１及び４つの凹部８２ｏは、収納ケース８同士を接触させた際、互いの収納ケース８の位置を規制する。
【００４２】
このことから、一方の収納ケース８に戴置した他方の収納ケース８が一方の収納ケース８からズレることがない。よって、複数の内視鏡装置１を積み重ねて保管することができることから、内視鏡装置１を狭い保管スペースであっても効率良く収納することができる。
【００４３】
尚、以下、変形例を示す。本形態においては、収納ケース８の箱体８１の下面８１ｋに形成される突起８１ｔは２つであると示したが、これに限らず、可能な限り複数形成しても良いことは勿論である。この場合、収納ケース８の蓋体８２の上面８２ｊに形成される凹部８２ｏｂは、突起８１ｔと同数個形成すればよい。
【００４４】
また、２つの車輪９９が戴置される２つの凹部８２ｏａは、半円状であると示したが、これに限らず、２つの車輪９９を戴置、係止できる形状であれば、どのような形状であっても構わない。
【００４５】
（第２実施の形態）
図４は、本発明の第２実施の形態を示す内視鏡装置の斜視図、図５は、図４の内視鏡装置を前方左斜め下方から見た斜視図、図６は、図４の内視鏡装置を複数連結した状態を示した斜視図、図７は、図６の複数連結した内視鏡装置を前方左斜め下方から見た斜視図である。
【００４６】
この第２実施の形態の内視鏡装置２０１の構成は、上記図１乃至図３に示した内視鏡装置１と比して、内視鏡装置を積み重ねて保管する際に用いる位置規制手段が異なる。よって、この相違点のみを説明し、第１実施の形態と同様の構成には同じ符号を付し、その説明は省略する。
【００４７】
また、本実施の形態における箱体２８１は、上述した第１実施の形態の箱体８１と略同様の構成を有するが、下部に車輪９９が配設されていない点、また下面８１ｋに突起８１ｔが形成されていない点のみが異なる構成となっている。
【００４８】
図５に示すように、内視鏡装置２０１の収納ケース８の箱体２８１の下部の４隅に、位置規制手段である緩衝材２１０が、それぞれ装着されている。詳しくは、箱体２８１の下部の４隅に、箱体２８１の隅部を構成する３つの外装に当接する３つの面を有する緩衝材２１０が、例えば外装に対してねじ固定されることにより装着されている。尚、緩衝材２１０は、箱体２８１の隅部に対して、着脱自在である。
【００４９】
緩衝材２１０は、例えばエラストマ樹脂により構成されており、３つの外表面に、それぞれ凹部２１０ａまたは凸部２１０ｂが形成されている。
【００５０】
また、図４に示すように、内視鏡装置２０１の収納ケース８の蓋体８２の上部の４隅にも、位置規制手段である緩衝材２１０が、それぞれ装着されている。詳しくは、蓋体８２の上部の４隅に、蓋体８２の隅部を構成する３つの外装に当接する３つの面を有する緩衝材２１０が、例えば外装に対してねじ固定されることにより装着されている。尚、緩衝材２１０は、蓋体８２の隅部に対して、着脱自在である。
【００５１】
図５に示すように、箱体２８１の下部の４つの隅部に装着された緩衝材２１０の下面に、凹部２１０ａが形成されている場合には、図４に示すように、蓋体８２の上部の４つの隅部に装着された緩衝材２１０の上面に、凸部２１０ｂが形成されている。
【００５２】
また、図４，図５に示すように、箱体２８１の下部及び蓋体８２の上部の４つの隅部に装着された緩衝材２１０の内、図中前側（ドラム巻取り蓋１４０が配設されている側）に装着された緩衝材２１０の前面に凹部２１０ａが形成されている場合には、箱体２８１の下部及び蓋体８２の上部の４つの隅部に装着された緩衝材２１０の内、図中後側に装着された緩衝材２１０の図示しない後面には、凸部２１０ｂが形成されている。
【００５３】
さらに、図４、図５に示すように、箱体２８１の下部及び蓋体８２の上部の４つの隅部に装着された緩衝材２１０の内、図中左側（長溝８２ｈが開口している側）に装着された緩衝材２１０の左面に凹部２１０ａが形成されている場合には、箱体２８１の下部及び蓋体８２の上部の４つの隅部に装着された緩衝材２１０の内、図中右側に装着された緩衝材２１０の図示しない右面には、凸部２１０ｂが形成されている。
【００５４】
以下、このように構成された本実施形態の内視鏡装置２０１の作用を説明する。  
例えば４つの内視鏡装置２０１を輸送または保管する場合に、先ず、４つの内視鏡装置２０１の箱体２８１内に内視鏡２をそれぞれ収納し、その後、箱体２８１と蓋体８２とをラッチ９によりそれぞれ施錠する。次いで、１つ目の内視鏡装置２０１の収納ケース８の上部に、２つ目の内視鏡装置２０１を戴置する。この際、図６、図７に示すように、１つ目の内視鏡装置２０１の収納ケース８の蓋体８２の４隅に装着された緩衝材２１０の上面に形成された凸部２１０ｂに、２つ目の内視鏡装置２０１の箱体２８１の４隅に装着された緩衝材２１０の下面に形成された凹部２１０ａがそれぞれ嵌合する。このことにより、２つ目の内視鏡装置２０１の収納ケース８は、１つ目の内視鏡装置２０１の収納ケース８の上部に係止される。
【００５５】
次に、１つ目の内視鏡装置２０１の背面に３つ目の内視鏡装置２０１を並設する。この際、図６、図７に示すように、１つ目の内視鏡装置２０１の箱体２８１及び蓋体８２の４つの隅部に装着された緩衝材２１０の内、図６中後側に装着された緩衝材２１０の後面に形成された凸部２１０ｂに、３つ目の内視鏡装置２０１の箱体２８１及び蓋体８２の４つの隅部に装着された緩衝材２１０の内、図６中前側に装着された緩衝材２１０の前面に形成された凹部２１０ａがそれぞれ嵌合する。このことにより、３つ目の内視鏡装置２０１の収納ケース８は、１つ目の内視鏡装置２０１の収納ケース８の背面部に係止される。
【００５６】
最後に、２つ目の内視鏡装置の背面部であって３つ目の内視鏡装置２０１の上部に、４つ目の内視鏡装置２０１を戴置する。この際、図６、図７に示すように、３つ目の内視鏡装置２０１の収納ケース８の蓋体８２の４隅に装着された緩衝材２１０の上面に形成された凸部２１０ｂに、４つ目の内視鏡装置２０１の箱体２８１の４隅に装着された緩衝材２１０の下面に形成された凹部２１０ａがそれぞれ嵌合する。
【００５７】
また、２つ目の内視鏡装置２０１の箱体２８１及び蓋体８２の４つの隅部に装着された緩衝材２１０の内、図６中後側に装着された緩衝材２１０の後面に形成された凸部２１０ｂに、４つ目の内視鏡装置２０１の箱体２８１及び蓋体８２の４つの隅部に装着された緩衝材２１０の内、図６中前側に装着された緩衝材２１０の前面に形成された凹部２１０ａがそれぞれ嵌合する。
【００５８】
このことにより、４つ目の内視鏡装置２０１の収納ケース８は、３つ目の内視鏡装置２０１の収納ケース８の上部であって、２つ目の内視鏡装置２０１の収納ケース８の背面部に係止される。以上から、４つの内視鏡装置２０１は、互いに連結される。
【００５９】
このように、本発明の第２実施の形態を示す内視鏡装置２０１においては、複数の内視鏡装置２０１の収納ケース８の連結に、箱体２８１及び蓋体８２の４隅に装着された緩衝材２１０を用いて行った。詳しくは、緩衝材２１０に形成された凹部２１０ａ及び凸部２１０ｂの嵌合を用いて行った。
【００６０】
この際、位置規制手段である衝撃材２１０の凹部２１０ａまたは凸部２１０ｂは、収納ケース８同士を接触させた際、互いの収納ケース８の位置を規制する。このことから、１つ目の箱体２８１と蓋体８２とがラッチ９により施錠された収納ケース８に戴置した２つ目の箱体２８１と蓋体８２とがラッチ９により施錠された収納ケース８が１つ目の収納ケース８からズレることがない。
【００６１】
また３つ目の箱体２８１と蓋体８２とがラッチ９により施錠された収納ケース８に戴置した４つ目の箱体２８１と蓋体８２とがラッチ９により施錠された収納ケース８が３つ目の収納ケース８からズレることがない。
【００６２】
よって、複数の内視鏡装置２０１を積み重ねて保管することができることから、内視鏡装置２０１を狭い保管スペースであっても効率良く収納することができる。
【００６３】
さらに、１つ目の収納ケース８に並設した３つ目の収納ケース８が１つ目の収納ケース８からズレることがない。また、２つ目の収納ケース８に並設した４つ目の収納ケース８が２つ目の収納ケース８からズレることがない。
【００６４】
このことから、一方の収納ケース８に戴置した他方の収納ケース８が一方の収納ケース８からズレることがない。よって、複数の内視鏡装置２０１を並設して保管することができることから、内視鏡装置２０１を狭い保管スペースであっても効率良く収納することができる。
【００６５】
ところで、収納ケース８の箱体２８１及び蓋体８２の４つの隅部に、緩衝材２１０を装着したことから、１つ目の収納ケース８の蓋体８２と２つ目の収納ケース８の箱体２８１との間、３つ目の収納ケース８の蓋体８２と４つ目の収納ケース８の箱体２８１との間、または１つ目の収納ケース８と３つ目の収納ケース８との間、２つ目の収納ケース８と４つ目の収納ケース８との間に間隙が生じている。
【００６６】
よって、図７に示すように、連結された４つの内視鏡装置２０１の収納ケース８に、輸送用パレットへの積み込みや大量輸送の際の荷崩れを防止する目的でベルト２３０を掛けた際、上記間隙があるため、収納ケース８の形状誤差を気にせずに、４つ連結された内視鏡装置２０１をベルト２３０により１単位に固定することができる。
【００６７】
また、箱体２８１及び蓋体８２の外装を滑らかで摩擦係数の高い材料により構成すると、より効果的に、ベルト２３０を用いて連結された４つの内視鏡装置２０１を１単位に固定することができる。
【００６８】
以下、変形例を示す。本実施の形態においては、４つの内視鏡装置２０１を連結する例を示したが、これに限らず、緩衝材２１０の凹部２１０ａ及び凸部２１０ｂを用いて複数個連結しても良いことは勿論である。
【００６９】
また、本実施の形態においては、図５に示すように、箱体２８１の４つの隅部に装着された緩衝材２１０の下面に、凹部２１０ａが形成され、蓋体８２の４つの隅部に装着された緩衝材２１０の上面に、凸部２１０ｂが形成されていると示した。
【００７０】
さらに、箱体２８１及び蓋体８２の４つの隅部に装着された緩衝材２１０の内、図中前側に装着された緩衝材２１０の前面に凹部２１０ａが形成され、箱体２８１及び蓋体８２の４つの隅部に装着された緩衝材２１０の内、図中後側に装着された緩衝材２１０の図示しない後面には、凸部２１０ｂが形成されていると示した。
【００７１】
また、箱体２８１及び蓋体８２の４つの隅部に装着された緩衝材２１０の内、図中左側に装着された緩衝材２１０の左面に凹部２１０ａが形成され、箱体２８１及び蓋体８２の４つの隅部に装着された緩衝材２１０の内、図中右側に装着された緩衝材２１０の図示しない右面には、凸部２１０ｂが形成されていると示した。
【００７２】
これに限らず、凹部２１０ａ、凸部２１０ｂの構成が全て逆であっても構わない。また、収納ケース８同士を係止できれば、凹部２１０ａまたは凸部２１０ｂは、緩衝材２１０にどのような規則性を有して形成されていても構わない。
【００７３】
以下、図８，図９を用いて変形例を示す。図８は、図４の内視鏡装置の変形例を示す斜視図、図９は、図８の内視鏡装置を前方左斜め下方から見た斜視図である。
【００７４】
本実施の形態においては、緩衝材２１０は、箱体２８１及び蓋体８２の３つの外装に当接するよう隅部に装着されると示した。また、箱体２８１の下部に車輪９９が配設されていない例を用いて示した。
【００７５】
これに限らず、図９に示すように、緩衝材２１０が、箱体２８１の２つの外装に当接し、かつ、箱体２８１の外装の長手方向または高さ方向に沿うよう装着され、緩衝材２１０の略中央に凹部２１０ａ、凸部２１０ｂが形成されておれば、箱体２８１の下部に車輪９９を配設されていても緩衝材２１０を装着することができ、また上述した本実施の形態と同様の効果を得ることができる。
【００７６】
さらに、図８に示すように、緩衝材２１０は、収納ケース８の１つの外装に当接していても良い。詳しくは、緩衝材２１０は、蓋体８２の上面８２ｊの長手方向に沿って装着され、緩衝材２１０の略中央に凹部２１０ａ、凸部２１０ｂが形成されていても、上述した本実施の形態と同様の効果を得ることができる。
【００７７】
（第３実施の形態）
図１０は、本発明の第３実施の形態を示す内視鏡装置の斜視図、図１１は、図１０の内視鏡装置を前方左斜め下方から見た斜視図である。
【００７８】
この第３実施の形態の内視鏡装置３０１の構成は、上記図１乃至図３に示した第１実施の形態の内視鏡装置１と比して、内視鏡装置を積み重ねて保管する際に用いる位置規制手段が異なる。よって、この相違点のみを説明し、第１実施の形態と同様の構成には同じ符号を付し、その説明は省略する。
【００７９】
図１０に示すように、内視鏡装置３０１の収納ケース８の蓋体３８２の外装である上面３８２ｊの略中央に、長手方向に沿って、長溝３８２ｈが穿設されている。長溝３８２ｈは、蓋体３８２の他端に開口するよう他端側に形成された第１の長溝３８２ｈ１と、該第１の長溝３８２ｈ１と連通し蓋体３８２の一端に開口するよう第１の長溝３８２ｈ１より長手方向に直交する方向に幅広に形成された第２の長溝３８２ｈ２とにより構成されている。
【００８０】
第２の長溝３８２ｈ２に、収納ケース８を移動させる際に用いられる移動用ハンドル１３が収納されている。尚、収納された移動用ハンドル１３の上面は、蓋体３８２の上面３２ｊと同じ高さかそれ以下となっている。
【００８１】
移動用ハンドル１３の一端は、一端側において開口された第２の長溝３８２ｈ２の側面に、１８０°程度回動自在となるように、例えば波ワッシャと段付きビスにより固定されている。このことから、移動用ハンドル１３は、一端を起点として起立または、第２の長溝３８２ｈ２内に収納自在である。また、移動用ハンドル１３の一端寄り及び他端は、連結部材１３ａにより連結されている。
【００８２】
蓋体３８２に穿設された第２の長溝３８２ｈ２内であって、該第２の長溝３８２ｈ２に収納された移動用ハンドル１３以外の位置に、収納ケース８を持ち運ぶための持ち上げ用ハンドル１２が収納されている。尚、収納された持ち上げ用ハンドル１２の上面は、蓋体３８２の上面３８２ｊと同じ高さかそれ以下となっている。
【００８３】
持ち上げ用ハンドル１２の一端は、第２の長溝３８２ｈ２の底面に、例えば波ワッシャ及び段付きビスにより９０°程度回動自在に固定されている。このことから、持ち上げ用ハンドル１２は、一端を起点として起立または、第２の長溝３８２ｈ２内に収納自在である。
【００８４】
蓋体３８２に穿設された第２の長溝３８２ｈ２内であって、移動用ハンドル１３の一端が、第２の長溝３８２ｈ２の側面に回動自在に固定された位置、及び移動用ハンドル１３の一端寄りの連結部材１３ａの近傍位置に、位置規制手段を構成する凸部である可倒部材３１０が配設されている。
【００８５】
詳しくは、可倒部材３１０の一端は、移動用ハンドル１３の一端寄りの連結部材１３ａの側面に、９０°程度回動自在となるように、例えば波ワッシャと段付きビス３１０ａにより係止されている。このことから、可倒部材３１０は、一端を起点として起立または、第２の長溝３８２ｈ２内に収納自在である。
【００８６】
蓋体３８２に穿設された第１の長溝３８２ｈ１内であって、移動用ハンドル１３の他端の連結部材１３ａの近傍位置に、位置規制手段を構成する凸部である可倒部材３１０が配設されている。
【００８７】
詳しくは、可倒部材３１０の一端は、移動用ハンドル１３の他端の連結部材１３ａの側面に、９０°程度回動自在となるように、例えば波ワッシャと段付きビス３１０ａにより係止されている。このことから、可倒部材３１０は、一端を起点として起立または、第１の長溝３８２ｈ１内に収納自在である。
【００８８】
図１１に示すように、収納ケース８の箱体３８１の外装である下面３８１ｋに、位置規制手段を構成する凹部である穴３８１ｈが２つ穿設されている。尚、２つの穴３８１ｈは、収納ケース８に、同一形状を有する収納ケース８を戴置した際、戴置される収納ケース８の蓋体３８２から起立した２つの可倒部材３１０が嵌合される位置に形成されている。また、２つの穴３８１ｈに、抜け防止機構を設けても良い。
【００８９】
尚、その他の収納ケース８の箱体３８１と蓋体３８２の構成は、上述した第１実施の形態の収納ケース８の箱体８１と蓋体８２の構成と同一である。
【００９０】
以下、このように構成された本実施形態の内視鏡装置３０１の作用を説明する。  
例えば２つの内視鏡装置３０１を輸送または保管する場合に、先ず、２つの内視鏡装置３０１の箱体３８１内に内視鏡２をそれぞれ収納し、その後、箱体３８１と蓋体３８２とをラッチ９によりそれぞれ施錠する。次いで、一方の内視鏡装置３０１の収納ケース８の蓋体３８２の上面３８２ｊに配設された２つの可倒部材３１０を、長溝３８２ｈからそれぞれ起立させる。
【００９１】
次に、一方の内視鏡装置３０１の収納ケース８の上面３８２ｊに、他方の内視鏡装置３０１の収納ケース８を戴置する。この際、一方の収納ケース８の起立した２つの可倒部材３１０は、他方の収納ケース８の下面３８１ｋに穿設された２つの穴３８１ｈに嵌合され、係止される。
【００９２】
このように、本発明の第３実施の形態を示す内視鏡装置３０１においては、収納ケース８の箱体３８１の下面３８１ｋに、２つの穴３８１ｈを穿設した。また、収納ケース８の蓋体３８２の上面３８２ｊに、２つの穴３８１ｈが嵌合される２つの可倒部材３１０を配設した。
【００９３】
よって、内視鏡装置３０１の箱体３８１と蓋体３８２とがラッチ９により施錠された収納ケース８に、該収納ケース８と同一形状を有する箱体３８１と蓋体３８２とがラッチ９により施錠された収納ケース８を戴置した際、戴置される収納ケース８の蓋体３８２の２つの可倒部材３１０は、戴置する収納ケース８の箱体３８１の２つの穴３８１ｈに嵌合され、係止される。
【００９４】
この際、位置規制手段である２つの可倒部材３１０及び穴３８１ｈは、収納ケース８同士を接触させた際、互いの収納ケース８の位置を規制する。
【００９５】
このことから、一方の収納ケース８に戴置した他方の収納ケース８が一方の収納ケース８からズレることがない。よって、複数の内視鏡装置３０１を積み重ねて保管することができることから、内視鏡装置３０１を狭い保管スペースであっても効率良く収納することができる。
【００９６】
また、蓋体３８２の上面３８２ｊに配設された２つの可倒部材３１０は、未使用の際には、蓋体３８２の上面３８２ｊに穿設された長溝３８２ｈ内に収納されるため、内視鏡装置３０１の蓋体３８２から突起物をなくすことができ、内視鏡装置３０１の小型化を図ることができる。
【００９７】
以下、変形例を示す。本実施の形態においては、蓋体３８２に配設される可倒部材３１０は、２つであると示したが、これに限らず、いくつ配設してもよいことは勿論である。この際、箱体３８１の下面３８１ｋに穿設される穴３８１ｈは、一方の収納ケース８に、他方の収納ケース８を戴置した際、一方の収納ケース８に配設された可倒部材３１０と同数個、該可倒部材３１０が嵌合する位置に、穿設すればよい。このように内視鏡装置３０１を構成しても、本実施の形態と同様の効果を得ることができる。
【００９８】
さらに、他の変形例を図１２、図１３を用いて示す。図１２は、図１０の内視鏡装置の変形例を示す斜視図、図１３は、図１２の内視鏡装置を前方左斜め下方から見た斜視図である。
【００９９】
本実施の形態においては、内視鏡装置３０１の収納ケース８同士を重ねる際、収納ケース８同士の相対位置のズレを防止する位置規制手段として、蓋体３８２に配設された２つの可倒部材３１０と、箱体３８１に穿設された２つの穴３８１ｈを示した。
【０１００】
これに限らず、可倒部材は、図１２に示すように、蓋体３８２に穿設された第２の長溝３８２ｈ２内に収納された可倒式の持ち上げ用ハンドル１２であっても良い。この場合、図１３に示すように、箱体３８１の下面３８１ｋには、一方の収納ケース８に他方の収納ケース８を戴置した際、一方の収納ケース８に配設された持ち上げ用ハンドル１２が嵌合する位置に、位置規制手段である穴３８１ｈが穿設されている。
【０１０１】
よって、一方の収納ケース８に他方の収納ケース８を戴置した際、一方の収納ケース８の蓋体３８２の上面に配設された持ち上げ用ハンドル１２は、他方の収納ケース８の箱体３８１の下面に穿設された穴３８１ｈに嵌合される。
【０１０２】
この際、持ち上げ用ハンドル１２及び穴３８１ｈは、収納ケース８同士を接触させた際、互いの収納ケース８の位置を規制する
このことから、一方の収納ケース８に戴置した他方の収納ケース８が一方の収納ケース８からズレることがない。よって、複数の内視鏡装置３０１を積み重ねて保管することができることから、内視鏡装置３０１を狭い保管スペースであっても効率良く収納することができる。このように内視鏡装置３０１を構成しても、本実施の形態と同様の効果を得ることができる。
【０１０３】
（第４実施の形態）
図１４は、本発明の第４実施の形態を示す内視鏡装置の斜視図、図１５は、図１４の内視鏡装置を前方左斜め下方から見た斜視図である。
【０１０４】
この第４実施の形態の内視鏡装置４０１の構成は、上記図１乃至図３に示した第１実施の形態の内視鏡装置１と比して、内視鏡装置を積み重ねて保管する際に用いる位置規制手段が異なる。よって、この相違点のみを説明し、第１実施の形態と同様の構成には同じ符号を付し、その説明は省略する。
【０１０５】
図１４に示すように、内視鏡装置４０１の収納ケース８の蓋体４８２の外装である上面４８２ｊの略中央に、長手方向に沿って、一端側のみ開口するよう長溝４８２ｈが穿設されており、該長溝４８２ｈに、持ち上げ用ハンドル１２及び移動用ハンドル１３が収納されている。
【０１０６】
長溝４８２ｈ内であって、移動用ハンドル１３の一端が、長溝４８２ｈに回動自在に固定された位置の近傍に、位置規制手段を構成する凸部である上方に突出する突起４１０が固定されている。
【０１０７】
突起４１０の高さ方向に直交する方向であり、蓋体４８２の長手方向に、貫通孔４１０ｈが形成されている。該貫通孔４１０ｈは、クレーン等により内視鏡装置４０１を持ち上げる場合、上記クレーンの吊り下げ用金具が連結される。
【０１０８】
長溝４８２ｈ内であって、長溝４８２ｈの他端にも、位置規制手段を構成する凸部である上方に突出する突起４１０が固定されている。突起４１０の高さ方向に直交する方向であり、蓋体４８２の長手方向にも、貫通孔４１０ｈが形成されている。
【０１０９】
図１５に示すように、収納ケース８の箱体４８１の外装である下面４８１ｋに、位置規制手段を構成する凹部である穴４８１ｈが２つ穿設されている。尚、２つの穴４８１ｈは、収納ケース８に、同一形状を有する収納ケース８を戴置した際、戴置される収納ケース８の蓋体４８２に固定された２つの突起４１０が嵌合される位置に形成されている。また、２つの穴４８１ｈは、抜け防止機構を有していても良い。
【０１１０】
尚、その他の収納ケース８の箱体４８１と蓋体４８２の構成は、上述した第１実施の形態の収納ケース８の箱体８１と蓋体８２の構成と同一である。
【０１１１】
以下、このように構成された本実施形態の内視鏡装置４０１の作用を説明する。  
例えば２つの内視鏡装置４０１を輸送または保管する場合に、先ず、２つの内視鏡装置４０１の箱体４８１内に内視鏡２をそれぞれ収納し、その後、箱体４８１と蓋体４８２とをラッチ９によりそれぞれ施錠する。次いで、一方の内視鏡装置４０１の収納ケース８の上面に、他方の内視鏡装置４０１の収納ケース８を戴置する。この際、戴置される収納ケース８の突起４１０は、戴置する収納ケース８の下面４８１ｋに穿設された２つの穴４８１ｈに嵌合され、係止される。
【０１１２】
このように、本発明の第４実施の形態を示す内視鏡装置４０１においては、収納ケース８の箱体４８１の下面４８１ｋに、２つの穴４８１ｈを穿設した。また、収納ケース８の蓋体４８２の上面４８２ｊに、２つの穴４８１ｈが嵌合される２つの突起４１０を配設した。
【０１１３】
よって、内視鏡装置４０１の箱体４８１と蓋体４８２とがラッチ９により施錠された収納ケース８に、該収納ケース８と同一形状を有する箱体４８１と蓋体４８２とがラッチ９により施錠された収納ケース８を戴置した際、一方の収納ケース８の蓋体４８２の２つの突起４１０は、他方の収納ケース８の箱体４８１の２つの穴４８１ｈに嵌合され、係止される。
【０１１４】
この際、位置規制手段である２つの突起４１０及び穴４８１ｈは、収納ケース８同士を接触させた際、互いの収納ケース８の位置を規制する。
【０１１５】
このことから、一方の収納ケース８に戴置した他方の収納ケース８が一方の収納ケース８からズレることがない。よって、複数の内視鏡装置４０１を積み重ねて保管することができることから、内視鏡装置３０１を狭い保管スペースであっても効率良く収納することができる。
【０１１６】
また、収納ケース８の蓋体８２に固定された２つの突起４１０に、貫通孔４１０ｈがそれぞれ形成されている。このことにより、クレーン等により内視鏡装置４０１を持ち上げる場合、上記クレーンの吊り下げ用金具の収納ケース８に対する接続が容易となる。
【０１１７】
よって、人により持ち上げることが困難な重量を有する内視鏡装置を、高所や低所へ持ち上げる等移動して保管する場合、またはマンホール内の移動等、高さ方向に内視鏡装置を移動する場合、内視鏡装置４０１の保管または輸送を容易に行うことができる。
【０１１８】
以下、変形例を示す。本実施の形態においては、蓋体４８２に配設される突起４１０は、２つであると示したが、これに限らず、いくつ配設してもよいことは勿論である。尚、この際、箱体４８１の下面４８１ｋに穿設される穴４８１ｈは、一方の収納ケース８に他方の収納ケース８を戴置した際、一方の収納ケース８に配設された突起４１０と同数個、他方の収納ケース８の突起４１０が嵌合する位置に穿設すればよい。このように内視鏡装置４０１を構成しても、本実施の形態と同様の効果を得ることができる。
【０１１９】
さらに、他の変形例を図１６、図１７を用いて示す。図１６は、図１４の内視鏡装置の変形例を示す斜視図、図１７は、図１６の内視鏡装置を前方左斜め下方から見た斜視図である。
【０１２０】
本実施の形態においては、内視鏡装置４０１の収納ケース８同士を重ねる際、収納ケース８同士の相対位置のズレを防止する位置規制手段として、貫通孔４１０ｈを有する蓋体４８２に固定された２つの突起４１０と、箱体４８１に穿設された２つの穴４８１ｈとを示した。
【０１２１】
これに限らず、突起４１０は、図１６に示すように、開口であるアイ４１０ｈを有する蓋体４８２の外装である上面４８２ｊにネジ固定され、該上面４８２ｊから上方に突出したアイボルトであってもよい。
【０１２２】
この場合、図１７に示すように、箱体４８１の外装である下面４８１ｋには、一方の収納ケース８に他方の収納ケース８を戴置した際、一方の収納ケース８に配設されたアイボルト４１０が嵌合する位置に、位置規制手段である穴４８１ｈが２つ穿設されている。
【０１２３】
よって、一方の収納ケース８に他方の収納ケース８を戴置した際、一方の収納ケース８の蓋体４８２の上面に配設された２つのアイボルト４１０は、他方の収納ケース８の箱体４８１の下面４８１ｋに穿設された２つの穴４８１ｈに嵌合される。
【０１２４】
この際、２つのアイボルト４１０及び穴４８１ｈは、収納ケース８同士を接触させた際、互いの収納ケース８の位置を規制する。
【０１２５】
このことから、一方の収納ケース８に戴置した他方の収納ケース８が一方の収納ケース８からズレることがない。よって、複数の内視鏡装置４０１を積み重ねて保管することができることから、内視鏡装置４０１を狭い保管スペースであっても効率良く収納することができる。
【０１２６】
また、アイボルト４１０を用いても、クレーン等により内視鏡装置４０１を持ち上げる場合、上記クレーンの吊り下げ用金具の収納ケース８に対する接続が容易となる。
【０１２７】
さらに、別の変形例を図１８、図１９を用いて示す。図１８は、図１４の内視鏡装置のさらに別の変形例を示す斜視図、図１９は、図１８の内視鏡装置を前方左斜め下方から見た斜視図である。
【０１２８】
上述した図１４及び図１６において、貫通孔４１０ｈを有する突起４１０またはアイ４１０ｈを有するアイボルト４１０は、蓋体４８２に固定され、蓋体４８２の上面２８２ｊから上方に突出していると示した。これに限らず、開口またはアイ４１０ｈが形成された部材は、可倒式の部材であってもよい。
【０１２９】
詳しくは、図１８に示すように、内視鏡装置４０１の収納ケース８の蓋体４８２の外装である上面４８２ｊの略中央に、長手方向に沿って、長溝４８２ｈが穿設されている。長溝４８２ｈは、蓋体４８２の他端に開口するよう他端側に形成された第１の長溝４８２ｈ１と、該第１の長溝４８２ｈ１と連通し蓋体４８２の一端に開口するよう第１の長溝４８２ｈ１より長手方向に直交する方向に幅広に形成された第２の長溝４８２ｈ２とにより構成されている。
【０１３０】
第２の長溝４８２ｈ２に、収納ケース８を移動させる際に用いられる移動用ハンドル１３が収納されている。移動用ハンドル１３の一端は、他端側において開口された第２の長溝４８２ｈ２の側面に、回動自在となるように、例えば波ワッシャと段付きビスにより固定されている。このことから、移動用ハンドル１３は、一端を起点として起立または、第２の長溝４８２ｈ２内に収納自在である。
【０１３１】
蓋体４８２に穿設された第２の長溝４８２ｈ２内であって、該第２の長溝４８２ｈ２に収納された移動用ハンドル１３以外の位置に、収納ケース８を持ち運ぶための持ち上げ用ハンドル１２が収納されている。
【０１３２】
蓋体４８２に穿設された第２の長溝４８２ｈ２内であって、移動用ハンドル１３の一端が、第２の長溝４８２ｈ２に回動自在に固定された位置の近傍に、支持部材４８２ａが固定されており、支持部材４８２ａの近傍に、アイ４１０ｈが形成された位置規制手段を構成する凸部である可倒式の部材４１０が配設されている。
【０１３３】
詳しくは、可倒式の部材４１０の一端は、支持部材４８２ａの側面に、１８０°程度回動自在となるように、例えば波ワッシャと段付きビスにより固定されている。このことから、可倒式の部材４１０は、一端を起点として起立または、第２の長溝４８２ｈ２内に収納自在である。
【０１３４】
蓋体４８２に穿設された第１の長溝４８２ｈ１内であって、移動用ハンドル１３の他端の近傍位置も、支持部材４８２ａが固定されており、支持部材４８２ａの近傍にも、位置規制手段を構成する凸部である開口４１０ｈが形成させた可倒式の部材４１０が配設されている。
【０１３５】
詳しくは、可倒式の部材４１０の一端は、支持部材４８２ａの側面に、１８０°程度回動自在となるように、例えば波ワッシャと段付きビスにより固定されている。このことから、可倒式の部材４１０は、一端を起点として起立または、第１の長溝４８２ｈ１内に収納自在である。
【０１３６】
図１９に示すように、収納ケース８の箱体４８１の外装である下面４８１ｋに、位置規制手段を構成する凹部である穴４８１ｈが２つ穿設されている。尚、２つの穴４８１ｈは、収納ケース８に、同一形状を有する収納ケース８を戴置した際、戴置される収納ケース８の蓋体４８２に穿設された長溝４８２ｈから起立した２つの可倒式の部材４１０が嵌合される位置に形成されている。また、２つの穴４８１ｈは、抜け防止機構を有する穴であっても良い。
【０１３７】
よって、一方の収納ケース８に他方の収納ケース８を戴置した際、一方の収納ケース８の蓋体４８２の上面４８２ｊに配設された２つの起立した可倒式の部材４１０は、他方の収納ケース８の箱体４８１の下面４８１ｋに穿設された２つの穴４８１ｈに嵌合される。
【０１３８】
この際、２つの可倒式の部材４１０及び穴４８１ｈは、収納ケース８同士を接触させた際、互いの収納ケース８の位置を規制する。
【０１３９】
このことから、一方の収納ケース８に戴置した他方の収納ケース８が一方の収納ケース８からズレることがない。よって、複数の内視鏡装置４０１を積み重ねて保管することができることから、内視鏡装置４０１を狭い保管スペースであっても効率良く収納することができる。
【０１４０】
また、可倒式の部材４１０を用いて、クレーン等により内視鏡装置４０１を持ち上げる場合、可倒式の部材４１０は、アイ４１０ｈを有しているため、上記クレーンの吊り下げ用金具の収納ケース８に対する接続が容易となる。
【０１４１】
このように内視鏡装置４０１を構成しても、本実施の形態と同様の効果を得ることができる。
【０１４２】
さらに、別の変形例を示す。上述した第１〜第４実施の形態において、収納ケースの蓋体の上面及び収納ケースの箱体の下面に配設する位置規制手段の形状をさらに複雑にすれば、戴置される側の収納ケース８が壊れてしまう重量の収納ケースが戴置されることを防ぐことができるということは勿論である。
【図面の簡単な説明】
【０１４３】
【図１】本発明の第１実施の形態を示す内視鏡装置の一部を破いて示した斜視図。
【図２】図１の内視鏡装置の箱体に蓋体を閉じた状態を示す斜視図。
【図３】図２の内視鏡装置を前方左斜め下方から見た斜視図。
【図４】本発明の第２実施の形態を示す内視鏡装置の斜視図。
【図５】図４の内視鏡装置を前方左斜め下方から見た斜視図。
【図６】図４の内視鏡装置を複数連結した状態を示した斜視図。
【図７】図６の複数連結した内視鏡装置を前方左斜め下方から見た斜視図。
【図８】図４の内視鏡装置の変形例を示す斜視図。
【図９】図８の内視鏡装置を前方左斜め下方から見た斜視図。
【図１０】本発明の第３実施の形態を示す内視鏡装置の斜視図。
【図１１】図１０の内視鏡装置を前方左斜め下方から見た斜視図。
【図１２】図１０の内視鏡装置の変形例を示す斜視図。
【図１３】図１２の内視鏡装置を前方左斜め下方から見た斜視図。
【図１４】本発明の第４実施の形態を示す内視鏡装置の斜視図。
【図１５】図１４の内視鏡装置を前方左斜め下方から見た斜視図。
【図１６】図１４の内視鏡装置の変形例を示す斜視図。
【図１７】図１６の内視鏡装置を前方左斜め下方から見た斜視図。
【図１８】図１４の内視鏡装置のさらに別の変形例を示す斜視図。
【図１９】図１８の内視鏡装置を前方左斜め下方から見た斜視図。
【符号の説明】
【０１４４】
１…内視鏡装置
２…内視鏡
８…収納ケース
１２…持ち上げ用ハンドル
２１…内視鏡挿入部
８１ｋ…箱体下面
８１ｔ…突起
８２ｊ…蓋体上面
８２ｏ…凹部
９８…装置本体
９９…車輪
２０１…内視鏡装置
２１０…緩衝材
２１０ａ…凹部
２１０ｂ…凸部
２８１ｋ…箱体下面
３０１…内視鏡装置
３１０…可倒部材
３８１ｈ…穴
３８１ｋ…箱体下面
３８２ｊ…蓋体上面
４０１…内視鏡装置
４１０…突起、アイボルト、可倒式の部材
４１０ｈ…貫通孔、アイ
４８１ｈ…穴
４８２ｊ…蓋体上面
４８２ｋ…箱体下面
代理人    弁理士    伊藤  進
【図１】
2006030902.tif 000003
【図２】
2006030902.tif 000004
【図３】
2006030902.tif 000005
【図４】
2006030902.tif 000006
【図５】
2006030902.tif 000007
【図６】
2006030902.tif 000008
【図７】
2006030902.tif 000009
【図８】
2006030902.tif 000010
【図９】
2006030902.tif 000011
【図１０】
2006030902.tif 000012
【図１１】
2006030902.tif 000013
【図１２】
2006030902.tif 000014
【図１３】
2006030902.tif 000015
【図１４】
2006030902.tif 000016
【図１５】
2006030902.tif 000017
【図１６】
2006030902.tif 000018
【図１７】
2006030902.tif 000019
【図１８】
2006030902.tif 000020
【図１９】
2006030902.tif 000021